(57)【要約】【課題】  電子レンジにエアカーテン発生ユニットを装着することで、オーブンレンジの調理時に発生する熱気、臭気及び蒸気などの汚染空気が室内に流入される現象を遮断し、室内環境をより快適に維持し得るフード兼用電子レンジを提供しようとする。【解決手段】  オーブンレンジ１２の上方側に装着されたキャビネット１８と、該キャビネット１８の内部に所定キャビティを有して装着されて、マグネトロン２０から供給される電磁波により食物を調理する調理室２４と、前記キャビネット１８の内部に装着されて、前記オーブンレンジ１２の調理時に発生する汚染空気を外部に排出するフードユニットと、前記キャビネット１８の下面に装着されて、オーブンレンジ１２の調理時に発生する汚染空気が室内に流入される現象を遮断するエアカーテン発生ユニットと、を含んでフード兼用電子レンジを構成する。【選択図】      図１
2005140488.tif 000002
【特許請求の範囲】
【請求項１】
オーブンレンジの上方側に装着されたキャビネットと、
該キャビネットの内部に所定キャビティを有して装着されて、マグネトロンから供給される電磁波により食物を調理する調理室と、
前記キャビネットの内部に装着されて、前記オーブンレンジの調理時に発生する汚染空気を外部に排出するフードユニットと、
前記キャビネットの下面に装着されて、オーブンレンジの調理時に発生する汚染空気が室内に流入される現象を遮断するエアカーテン発生ユニットと、を含んで構成されることを特徴とするフード兼用電子レンジ。
【請求項２】
前記エアカーテン発生ユニットは、
キャビネットの下面前方に回転自在に装着された送風ファンと、
該送風ファンを回転する駆動モータと、
前記キャビネットの下面前方側に形成されて、前記送風ファンが内蔵されて空気が吸入される吸入口、及びエアカーテンを形成する空気が吐出される吐出口がそれぞれ穿孔形成されたファンハウジングと、から構成されることを特徴とする請求項１記載のフード兼用電子レンジ。
【請求項３】
前記送風ファンは、前記キャビネットの下面前方に該キャビネットの横手方向に装着されて前記駆動モータの駆動によって回転されると、円周方向に空気が吸入及び吐出される横流ファンに構成されることを特徴とする請求項２記載のフード兼用電子レンジ。
【請求項４】
前記ファンハウジングは前記キャビネットの下面前方の下方向に傾斜して形成され、前記ファンハウジングの吸入口は前記電子レンジの前方を向いて形成され、前記ファンハウジングの吐出口はエアカーテンを形成する空気が前記オーブンレンジの上方側前方面を向いて噴射されるように、電子レンジの下方側に所定角傾斜して形成されることを特徴とする請求項２記載のフード兼用電子レンジ。
【請求項５】
前記エアカーテン発生ユニットは、前記キャビネットの下面前方に所定角傾斜して装着されることで、前記キャビネットの前方下方側にエアカーテンを形成する前方側エアカーテン発生ユニットと、
前記キャビネットの下面左側面に所定角傾斜して装着されて、前記キャビネットの左側面から下方側にエアカーテンを形成する左側エアカーテン発生ユニットと、
前記キャビネットの下面右側面に所定角傾斜して装着されて、前記キャビネットの右側面から下方側にエアカーテンを形成する右側エアカーテン発生ユニットと、から構成されることを特徴とする請求項１記載のフード兼用電子レンジ。
【請求項６】
前記前方側、左側及び右側エアカーテン発生ユニットは、
キャビネットの下面前方、左側及び右側に回転自在にそれぞれ装着された各送風ファンと、
それら送風ファンをそれぞれ回転する各駆動モータと、
前記キャビネットの下面前方、左側及び右側にそれぞれ形成されて、前記各送風ファンがそれぞれ内蔵されて空気が吸入される吸入口、及びエアカーテンを形成する空気が吐出される吐出口がそれぞれ穿孔形成された各ファンハウジングと、から構成されることを特徴とする請求項５記載のフード兼用電子レンジ。
【請求項７】
前記複数の横流ファンは、相互回転自在に連結され、一つの駆動モータにより駆動されることを特徴とする請求項６記載のフード兼用電子レンジ。
【請求項８】
前記エアカーテン発生ユニットは、前記キャビネットの下面前方に所定角傾斜して装着されて、前記キャビネットの前方下方側にエアカーテンを形成する前方側エアカーテン発生ユニットと、
前記キャビネットの下面左側面に所定角傾斜して装着されて、前記キャビネットの左側面から下方側にエアカーテンを形成する左側エアカーテン発生ユニットと、から構成されることを特徴とする請求項１記載のフード兼用電子レンジ。
【請求項９】
前記エアカーテン発生ユニットは、前記キャビネットの下面前方に装着されて、前記キャビネットの前方下方側にエアカーテンを形成する前方側エアカーテン発生ユニットと、
前記キャビネットの下面右側面に装着されて、前記キャビネットの右側面から下方側にエアカーテンを形成する右側エアカーテン発生ユニットと、から構成されることを特徴とする請求項１記載のフード兼用電子レンジ。
【請求項１０】
前記エアカーテン発生ユニットは、前記キャビネットの下面前方に所定距離だけ伸縮自在に装着された滑動プレートと、
該滑動プレートの前面に回転自在に装着されて、空気を吸入／吐出してエアカーテンを形成する横流ファンと、
該横流ファンを回転する駆動モータと、から構成されることを特徴とする請求項１記載のフード兼用電子レンジ。
【請求項１１】
前記キャビネットの下面には前記滑動プレートが伸縮して挿合されるようにガイドするガイド溝が切削形成され、前記滑動プレートの前方には、前記横流ファンが回転自在に装着されて吸入口及び吐出口がそれぞれ穿孔形成されたファンハウジングが形成されることを特徴とする請求項１０記載のフード兼用電子レンジ。
【請求項１２】
前記滑動プレートは、前記キャビネットの前方側及び左右両方側にそれぞれ装着されることを特徴とする請求項１０記載のフード兼用電子レンジ。
【発明の詳細な説明】
【技術分野】
【０００１】
本発明は、フード機能を有する電子レンジに係るもので、詳しくは、調理時に発生する汚染空気が室内に流入される現象を遮断するエアカーテン機能を有したフード兼用電子レンジに関するものである。
【背景技術】
【０００２】
一般に、フード兼用電子レンジは、オーブンレンジの上方側に装着されて、マイクロ波を利用する調理機能と、前記オーブンレンジの調理時に発生する汚染空気を室外に排出するか、又は汚染空気を浄化して循環させる機能を行い得る複合家電機器である。
【０００３】
図８は従来のフード兼用電子レンジの装着状態を示した側面図で、図９は従来のフード兼用電子レンジの構造を示した縦断面図である。
図示されたように、従来のフード兼用電子レンジ１０４は、マイクロ波による調理機能と、前記オーブンレンジ１０２の調理時に発生する汚染空気の排出機能とを行うために、オーブンレンジ１０２の上方側壁面１３２に装着されて、汚染空気を室外に排出する排気通路１０６に連結されている。
【０００４】
このようなフード兼用電子レンジ１０４は、図９に示したように、所定のキャビティを有するキャビネット１１０と、該キャビネット１１０内部の一方側に装着されて、マグネトロン１１２を具備することで電磁波を発生する電装室１１４と、前記マグネトロン１１２から発生した電磁波により食物を調理するように、底面上に調理すべき食物が載置される回転トレー１１６の装着された調理室１１８と、を含んで構成されている。
【０００５】
又、キャビネット１１０の内部には、空気が通過するエア通路１２０が設けられ、前記キャビネット１１０の下方側には、前記オーブンレンジ１０２の調理時に発生する汚染空気を吸入する吸入口１２２が穿孔形成され、前記キャビネット１１０の上方側には、前記エア通路１２０を通過した空気を外部に排出する排出口１２４が穿孔形成され、該排出口１２４の一方側には吸入力を発生する一対の吸入シロッコファン１２６がそれぞれ装着される。
又、前記排出口１２４は、図８に示したように、壁に切削形成された排気通路１０６とエアダクト１３０により連結されることで、前記排出口１２４に排出される汚染空気がエアダクト１３０を通過して排気通路１０６に抜け出るようになる。
【０００６】
以下、このように構成された従来のフード兼用電子レンジの動作に対して説明する。
まず、電子レンジ１０４を利用して料理をするとき、使用者がドア（図示せず）を開放して調理室１１８の内側の回転トレー１１６上に食物を載置し、調理ボタンを押すと、回転トレー１１６と一緒に食物が回転することで、マグネトロン１１２から発生した電磁波が調理室１１８の内部に放射されて食物の調理機能が行われる。
【０００７】
一方、電子レンジ１０４の下方側に装着されたオーブンレンジ１０２を利用して料理をするとき、使用者がフード動作ボタン（図示せず）を押すと、一対の吸入シロッコファン１２６が回転して吸入力が発生することで、キャビネット１１０の下面に形成された吸入口１２２を通して熱気、臭気及び蒸気などの汚染空気が吸入されるが、該吸入された空気は、キャビネット１１０の内部のエア通路１２０を通過し、キャビネット１１０の上面に形成された排出口１２４を通してキャビネット１１０の外部に排出される。次いで、前記排出口１２４に排出された空気は、排気ダクト１３０及び排気通路１０６を順次通して外部に排出される。
【０００８】
然るに、このように構成された従来のフード兼用電子レンジにおいては、図１０に示したように、吸入口１２２の面積がオーブンレンジ１０２の調理面積より狭く限定されて形成されるため、オーブンレンジ１０２から発生する熱気、臭気及び蒸気などの汚染空気の一部が吸入口１２２に全部吸入されずに室内に放出され、室内空気を汚染して不快感を誘発するという不都合な点があった。
【発明の開示】
【発明が解決しようとする課題】
【０００９】
本発明は、このような従来の課題に鑑みてなされたもので、電子レンジにエアカーテン発生ユニットを装着することで、オーブンレンジの調理時に発生する熱気、臭気及び蒸気などの汚染空気が室内に流入される現象を遮断し、室内環境をより快適に維持し得るフード兼用電子レンジを提供することを目的とする。
【課題を解決するための手段】
【００１０】
このような目的を達成するため、本発明に係るフード兼用電子レンジは、オーブンレンジの上方側に装着されたキャビネットと、該キャビネットの内部に所定キャビティを有して装着されて、マグネトロンから供給される電磁波を利用して食物を調理する調理室と、前記キャビネットの内部に装着されて、前記オーブンレンジの調理時に発生する汚染空気を外部に排出するフードユニットと、前記キャビネットの下面に装着されて、オーブンレンジの調理時に発生する汚染空気が室内に流入される現象を遮断するエアカーテン発生ユニットと、を含んで構成されることを特徴とする。
【００１１】
又、前記エアカーテン発生ユニットは、キャビネットの下面前方に回転自在に装着された送風ファンと、該送風ファンを回転する駆動モータと、前記キャビネットの下面前方側に形成されて、前記送風ファンが内蔵されて空気が吸入される吸入口と、エアカーテンを形成する空気が吐出される吐出口がそれぞれ穿孔形成されたファンハウジングと、から構成されることを特徴とする。
【００１２】
又、前記送風ファンは、前記キャビネットの下面前方に該キャビネットの横手方向に装着されて、前記駆動モータの駆動によって回転されると、円周方向に空気が吸入及び吐出される横流ファンに構成されることを特徴とする。
又、前記ファンハウジングは、前記キャビネットの下面前方に下方向に傾斜して形成され、前記ファンハウジングの吸入口は、前記電子レンジの前方側を向いて形成され、前記ファンハウジングの吐出口は、エアカーテンを形成する空気が前記オーブンレンジの上方側前方面を向いて噴射されるように、電子レンジの下方側に所定角傾斜して形成されることを特徴とする。
【００１３】
又、前記エアカーテン発生ユニットは、前記キャビネットの下面前方に所定角傾斜して装着されることで、前記キャビネットの前方下方側にエアカーテンを形成する前方側エアカーテン発生ユニットと、前記キャビネットの下面左側面に装着されて、前記キャビネットの左側面から下方側にエアカーテンを形成する左側エアカーテン発生ユニットと、前記キャビネットの下面右側面に装着されて、前記キャビネットの右側面から下方側にエアカーテンを形成する右側エアカーテン発生ユニットと、から構成されることを特徴とする。
【００１４】
又、前記エアカーテン発生ユニットは、前記キャビネットの下面前方に所定距離だけ伸縮自在に装着された滑動プレートと、該滑動プレートの前面に回転自在に装着されて、空気を吸入／吐出してエアカーテンを形成する横流ファンと、該横流ファンを回転する駆動モータと、から構成されることを特徴とする。
【発明の効果】
【００１５】
以下に説明するように、本発明に係るフード兼用電子レンジにおいては、電子レンジの下面にエアカーテン発生ユニットを装着することで、オーブンレンジの調理時に発生する汚染空気が室内に流入される現象を遮断するため、製品の性能を向上すると共に、室内環境をより快適に維持し得るという効果がある。
【００１６】
又、電子レンジの下面前方だけでなく、両側面にもエアカーテン発生部を装着することで、前方及び左右両側面にエアカーテンを形成するため、オーブンレンジから発生する熱気、臭気及び蒸気などの汚染空気が室内に流入される現象を一層効果的に遮断し、製品の信頼性を向上し得るという効果がある。
又、電子レンジの下面前方に引き出される滑動プレートを装着し、該滑動プレートの前方に横流ファンを装着することで、より広い領域にエアカーテンを発生し、製品の信頼性及び汚染空気の遮断効果を向上し得るという効果がある。
【発明を実施するための最良の形態】
【００１７】
以下、本発明の実施の形態に対し、図面に基づいて説明する。
図１は本発明に係るフード兼用電子レンジの第１実施形態の構造を示した縦断面図で、図２は本発明に係るフード兼用電子レンジの第１実施形態を示した斜視図で、図３は本発明に係るフード兼用電子レンジの第１実施形態の動作状態を示した側面図である。
【００１８】
図示されたように、本発明に係るフード兼用電子レンジ１０は、オーブンレンジ１２の上方側に所定間隔を有して装着されて、室内の壁面１４に固定されたキャビネット１８と、該キャビネット１８の内部の一方側に装着されて、内部に収納されたマグネトロン２０から電磁波を発生する電装室２２と、前記キャビネット１８の内部に所定キャビティを有して装着されて、前記マグネトロン２０から供給される電磁波により食物を調理する調理室２４と、キャビネット１８の内部に装着されて、前記オーブンレンジ１２の調理時に発生する汚染空気を外部に排出するフードユニットＨと、キャビネット１８の下面に装着されて、オーブンレンジ１２の調理時に発生する汚染空気が室内に流入される現象を遮断するエアカーテン発生ユニットＡＣと、を含んで構成されている。
【００１９】
又、前記キャビネット１８の前方にはドア２６が開閉自在に軸支され、電子レンジ１０の動作を調整する各種の操作ボタン２８が装着され、前記調理室２４の底面上には食物が載置される回転トレー３０が装着される。
又、前記フードユニットＨは、キャビネット１８の内部外郭に循環するように形成されて、後述するキャビネット１８の下面の吸入口３４から流入された空気を該キャビネット１８の上面に案内する空気通路３２と、前記キャビネット１８の下面に穿孔形成されて空気を吸入する吸入口３４と、前記キャビネット１８の上面に穿孔形成されて、前記空気通路３２を通過した空気を電子レンジ１０の外部に排出する排出口３６と、前記空気通路３２の一方側に装着されて吸入力を発生する一対の吸入シロッコファン３８と、から構成される。
【００２０】
又、前記排出口３６にはエアダクト４０の一方端が連結され、該エアダクト４０の他方端は、壁面１４を貫通した後、排気通路１６に連結される。
又、前記エアカーテン発生ユニットＡＣは、図３及び図４に示したように、キャビネット１８の下面前方側の電子レンジ１０の横手方向に回転自在に装着された送風ファン４２と、該送風ファン４２の回転軸４６に連結されて前記送風ファン４２を回転させる駆動モータ４４と、前記キャビネット１８の下面前方の下方向に所定角度を有して傾斜して開放形成された吸入口５０、及び該吸入口５０の下方に隣接して所定間隔離れて前方下方側に開放形成された吐出口５２からなるファンハウジング５６と、から構成されることで、前記送風ファン４２が前記駆動モータ４４の駆動によって回転されると、前記吐出口５２を通して吐出される空気は、前記オーブンレンジ１２の上方から室内方向に吐出され、前記オーブンレンジ１２の調理時に発生する汚染空気が室内に放出されずに、吸入口３４及び排出口３６と通して排出されるようになっている。
【００２１】
以下、このように構成された本発明に係るフード兼用電子レンジの第１実施形態の作用に対して説明する。
まず、電子レンジ１０を利用して料理するとき、使用者がドア２６を開放して、調理室２４の内側の回転トレー３０上面に食物を載置した後、調理ボタン２８を押すと、回転トレー３０と一緒に食物が回転されると共に、マグネトロン２０から発生する電磁波が調理室２４に放射供給されて、その調理室２４内部の食物が調理される。
【００２２】
次いで、電子レンジ１０の下方側に装着されたオーブンレンジ１２を利用して料理をするとき、使用者がフード動作ボタンを押して一対の吸入シロッコファン３８を駆動させると、該一対の吸入シロッコファン３８の吸入力により、オーブンレンジ１２の調理時に発生する熱気、臭気及び蒸気などの汚染空気がキャビネット１８の下面の吸入口３４を通して吸入され、該吸入された空気は、前記キャビネット１８の内部の空気通路３２を通過して排出口３６に排出され、該排出口３６に連結された排気ダクト４０及び壁面に形成された排気通路１６をそれぞれ通して外部に排出される。
【００２３】
このとき、エアカーテン発生ユニットＡＣが動作されることで、前記オーブンレンジ１２の調理時に発生する汚染空気は室内に放出されずに、前記吸入口３４を通して吸入されるようにする。
即ち、エアカーテン発生ユニットＡＣの駆動モータ４４が駆動され、送風ファン４２が回転されることで、前記送風ファン４２の吸入圧力により、ファンハウジング５６の吸入口５０を通してキャビネット１８の前方から空気が吸入され、該吸入口５０から吸入された空気は、吐出口５２を通して傾斜面を沿って室内に吐出される。
【００２４】
このとき、前記吐出口５２は、キャビネット１８の下方側に所定傾斜角を有して形成されるため、該吐出口５２を通して吐出される空気は、前記オーブンレンジ１２の上方から室内方向に吐出され、前記オーブンレンジ１２の調理時に発生する汚染空気が室内に放出されずに、吸入口３４及び排出口３６を通して排出される。
【００２５】
図５は本発明に係るフード兼用電子レンジの第２実施形態を示した斜視図で、図示されたように、本発明に係るフード兼用電子レンジの第２実施形態として、キャビネット１８の下面前方及び左右側の三方向に装着されて、下方側にそれぞれ所定角度傾斜してエアカーテンを形成する前方側エアカーテン発生ユニット６２、及び左／右側エアカーテン発生ユニット６４、６６からエアカーテン発生ユニットを形成し、その他は第１実施形態と同様に構成することもできる。
【００２６】
又、前記前方側及び左／右側エアカーテン発生ユニット６２、６４、６６は、それぞれ送風ファン６８及び駆動モータ７０から構成される。
このとき、前記前方側及び左／右側エアカーテン発生ユニット６２、６４、６６には、送風ファン６８がそれぞれ装着されるが、これら３個の送風ファン６８は相互連結されて、一つの駆動モータ７０により駆動される。
【００２７】
このように構成された第２実施形態のエアカーテン発生ユニットは、オーブンレンジ１２の前方だけでなく、左右両方側にもエアカーテンを形成するため、前記オーブンレンジ１２の調理時に発生する汚染空気がより完壁に遮断され、室内に汚染空気が放出される現象を最小化することができる。
【００２８】
図６は本発明に係るフード兼用電子レンジの第３実施形態を示した斜視図で、図７は本発明に係るフード兼用電子レンジの第３実施形態の動作状態を示した側面図で、図示されたように、本発明に係るフード兼用電子レンジの第３実施形態として、キャビネット１８の下面前方に所定距離伸縮自在に装着された滑動プレート８２と、該滑動プレート８２の前面に回転自在に装着されて、空気を吸入／吐出してエアカーテンＣを形成する送風ファン８４と、該送風ファン８４を回転させる駆動モータ８６と、から構成される。
【００２９】
又、前記キャビネット１８の下面には、前記滑動プレート８２が挿合されるようにガイドするガイド溝８８が切削形成され、滑動プレート８２の前方には、前記送風ファン８４が回転自在に装着される吸入口及び吐出口がそれぞれ形成されたファンハウジング９０が切削形成される。
このような第３実施形態のエアカーテン発生ユニットは、電子レンジ８０が相対的に小型又は大型になることで、電子レンジ８０の吸入面積がオーブンレンジ１２の調理面積を充分収容し得ない現象を補完するためのものである。
【００３０】
即ち、滑動プレート８２を前記キャビネット１８の前方に所定距離だけ引き出した後、駆動モータ８６を駆動して送風ファン８４を回転すると、室内空気が送風ファン８４の吸入圧力により吸入されることで、キャビネット１８の下方側に吐出されてエアカーテンＣが形成される。この場合、前記滑動プレート８２が引き出された距離だけ前方にエアカーテンＣが形成されるため、より広い領域にエアカーテンＣを形成することで、オーブンレンジ１２から発生する熱気、臭気及び蒸気などの汚染空気が室内に流入される現象を一層効果的に遮断することができる。
【００３１】
以下、このような第３実施形態のエアカーテン発生ユニットは、前記キャビネット１８の前方だけでなく、左右両側面にも滑動プレート８２を装着することで、より広い領域にエアカーテンを形成することができる。
【図面の簡単な説明】
【００３２】
【図１】本発明に係るフード兼用電子レンジの第１実施形態の構造を示した縦断面図である。
【図２】本発明に係るフード兼用電子レンジの第１実施形態を示した斜視図である。
【図３】本発明に係るフード兼用電子レンジの第１実施形態の使用状態を示した側面図である。
【図４】図３のＡ部の拡大図である。
【図５】本発明に係るフード兼用電子レンジの第２実施形態を示した斜視図である。
【図６】本発明に係るフード兼用電子レンジの第３実施形態を示した斜視図である。
【図７】本発明に係るフード兼用電子レンジの第３実施形態の使用状態を示した側面図である。
【図８】従来のフード兼用電子レンジの装着状態を示した側面図である。
【図９】従来のフード兼用電子レンジの構造を示した縦断面図である。
【図１０】従来のフード兼用電子レンジの使用状態を示した側面図である。
【符号の説明】
【００３３】
１０…電子レンジ
１２…オーブンレンジ
１４…壁面
１６…排気通路
１８…キャビネット
２０…マグネトロン
２２…電装室
２４…調理室
３０…回転トレー
３２…空気通路
３４…吸入口
３６…排出口
３８…一対の吸入シロッコファン
４２…送風ファン
４４…駆動モータ
４６…回転軸
５０…吸入口
５２…吐出口
５４…ファンハウジング
【図１】
2005140488.tif 000003
【図２】
2005140488.tif 000004
【図３】
2005140488.tif 000005
【図４】
2005140488.tif 000006
【図５】
2005140488.tif 000007
【図６】
2005140488.tif 000008
【図７】
2005140488.tif 000009
【図８】
2005140488.tif 000010
【図９】
2005140488.tif 000011
【図１０】
2005140488.tif 000012